(57)【要約】【課題】発電可能なパワーボールを提供する。【解決手段】球形ケース１０、環状体２０、回転体３０、及び小型発電及び発光モジュール５０で構成される。パワーボールの回転時には回転の瞬間に加振励磁を発生させ、使用中の状態では発電効果を有する。回転体３０の内部には金属材質で構成される球体の中心部７０を含み、且つ球体の中心部は中心軸の二側辺に平行し、互いに対称な２つの収容空間７１が設けられ、２つの小型発電及び発光モジュール５０がそれぞれ嵌入され、大質量である。これにより、手で球体の動作が制御されると、回転体３０が手のトルクを数倍に高め、ハンド用のチャレンジ性や面白さをより高めるほか、腕力の訓練効果を有する。【選択図】図７
0003203624.tif 000002
【実用新案登録請求の範囲】
【請求項１】
上部ケース及び下部ケースで構成されると共に高周波を利用する中空体であり、上部ケースの上面には円形口が形成されている球形ケースと、
前記下部ケースの上部の内側の支持面に設置されており、前記支持面の上で回転を行い、両側にピン継手孔が設けられている環状体と、
軸の二端が前記ピン継手孔にそれぞれ枢接されており、前記上部ケース及び前記下部ケースの内部に収容されており、且つ表端面の中央箇所に凹状孔部が設けられている凹状環状溝が設置されている回転体と、を備え、
前記上部ケース及び前記下部ケースは、接合面の周縁に複数の凸状円弧面がそれぞれ設けられており、前記上部ケース及び前記下部ケースが接合する接合箇所の周縁に間隔を空けて複数の凸状円弧体が形成されており、
前記回転体の内部に金属材質で構成される球体の中心部を有し、且つ前記球体の中心部は前記中心軸の側辺と平行し、互いに対称な２つの収容空間が設けられており、２つの小型発電及び発光モジュールがそれぞれ嵌入されていることを特徴とする発電可能なパワーボール。
【請求項２】
台座を更に備え、
前記小型発電及び発光モジュールは、前記台座に設置された後、前記２つの前記収容空間に嵌入されており、
前記台座は、金属材質で構成されており、外形の輪郭が前記収容空間に対応しており、前記回転体の全体の重量を増加させることを特徴とする、請求項１に記載の発電可能なパワーボール。
【請求項３】
前記台座が前記回転体の内部に設けられており、前記小型発電及び前記発光モジュールが設置されていることを特徴とする、請求項２に記載の発電可能なパワーボール。
【請求項４】
前記小型発電及び発光モジュールは、
回転体の側辺内に別々に固設されており、回転体に従って３６０°回転を行う少なくとも２つのローター部材と、
前述のローター部材の位置に対応するよう環状体に固設されており、ローター部材が回転を行う場合、共に結合された状態を呈する少なくとも２つのステータ部材と、を有し、
前記ローター部材は前記球形ケース内にコイル及びフェライト磁心が設置されており、フェライト磁心の底面に第一マグネットが設置されており、第一マグネットの底面に第一磁性金属板が設置されており、コイルに１つ以上の発光ダイオードが接続されており、前記発光ダイオードが前記球形ケースに固定されておりモジュール化形態を構成し、
前記ステータ部材は、フェライト磁心に対する第二マグネットが設置されており、第二マグネットの外側に第二磁性金属板が設置されており、
前記第一マグネット及び第二マグネットは同じ磁極が対向となるように設置されていることを特徴とする、請求項１に記載の発電可能なパワーボール。
【請求項５】
外側に設けられており、前記回転体の回転数或いは回転速度（ＲＰＭ）を表示する液晶表示装置（ＬＣＤ）をさらに備え、
前記下部ケースは底面に貫通孔が形成されており、前記貫通孔に回転数計算器が嵌装されており、
前記回転体は前記凹状環状溝に磁石が周設されており、
前記回転数計算器は、内側において、前記磁石が回転しながら通過する経路点に感知素子が設置されており、前記感知素子により検知された信号が前記制御回路基板に送信されている請求項４に記載の発電可能なパワーボール。
【考案の詳細な説明】
【技術分野】
【０００１】
本考案は、発電可能なパワーボールに関し、更に詳しくは、回転の瞬間に発生する加振励磁を利用し、パワーボールが使用中の状態では発電を行う構成を有する発電可能なパワーボールに関する。
【背景技術】
【０００２】
パワーボールは運動及びレジャーを兼ね備えるエクササイズ器具であり、その構成は図１Ａ、図１Ｂ、図１Ｃに示すように、上部ケース１１及び下部ケース１２で構成されると共に高周波を利用する中空体であり、上部ケース１１の上面には円形口１１１が設けられる球形ケース１０と、下部ケース１２の上部内側の支持面１２１に設置されると共に支持面１２１上で回転を行い、その二側にはピン継手孔２１が設けられる環状体２０と、その中心軸３１の二端はピン継手孔２１にそれぞれ枢接され、上部ケース１１及び下部ケース１２の内部に収容され、且つその表端面の中央箇所には凹状孔部３２１が設けられる凹状環状溝３２が設置される回転体３０を備える。
【０００３】
図２Ａから図２Ｃに示すように、その使用方式は靴ひもに相似するロープ４０の一端を凹状孔部３２１に嵌入させ、その後ロープ４０を凹状環状溝３２に巻回させ、ロープ４０を引くことで、回転体３０が中心軸３１を回転軸として環状体２０内で回転を行う。
【０００４】
なお、図３に示すように、手で球形ケース１を握って回転させると、その内部の回転体３０が凹状環状溝３２の方向に回転を行う以外、同時に環状体２０に従って球形ケース１内で接合面１３の方向に沿って回転を行う。即ち、前記回転体３０が球形ケース１内で「回転」＋「回転」を形成させ、「自転」＋「公転」に相似し、二種類の異なる方向への回転力により慣性トルクが形成される。このため、手で球体の動作を制御すると、前記球体により手に対するトルクが形成される。これは非常に奇妙であり、腕力の訓練のみならず、玩具のように遊びにも使用できる。このほか、パワーボールの内部に発電装置を装設する場合、パワーボールの内部空間には限りがあるため、スムーズに発電を行うのは簡単ではない。
【考案の概要】
【考案が解決しようとする課題】
【０００５】
しかしながら、従来のパワーボールの重量は約１００ｇ前後であり、手に対するトルクが小さい。しかしながら、使用者のトルクに対する要求は高まり続けており、より大きなトルクが求められるが、パワーボールの球形ケース１０は手の大きさに合わせねばならないため、球形ケース１０及び回転体３０のサイズを自由に大きくすることはできず、手で握れる大きさでなければならない。そこで、本考案者は上記の欠点が改善可能と考え、即ち、パワーボールの内部に発電機能を有し、さらにトルクを増加させることが、本案が解決を目指す課題である。
【０００６】
本考案は、このような従来の問題に鑑みてなされたものである。本考案の主な目的は、上述の問題を解決するために、発電可能なパワーボールを提供することにある。つまり、回転の瞬間に発生する加振励磁を利用し、パワーボールが使用中の状態では発電を行う機能を有し、且つ球形ケース及び回転体が大質量により、大トルクを出力し、さらにハンド用のチャレンジ性やレジャー性を有し、腕力の訓練効果を強化させる。
【課題を解決するための手段】
【０００７】
本考案による発電可能なパワーボールは、球形ケースと、環状体と、回転体と、を備える。球形ケースは、上部ケース及び下部ケースで構成されると共に高周波を利用する中空体であり、上部ケースの上面には円形口が形成されている。環状体は、下部ケースの上部の内側の支持面に設置されており、支持面の上で回転を行い、両側にピン継手孔が設けられている。回転体は、軸の二端がピン継手孔にそれぞれ枢接されており、上部ケース及び下部ケースの内部に収容されており、且つ表端面の中央箇所に凹状孔部が設けられている凹状環状溝が設置されている。上部ケース及び下部ケースは、接合面の周縁に複数の凸状円弧面がそれぞれ設けられており、上部ケース及び下部ケースが接合する接合箇所の周縁に間隔を空けて複数の凸状円弧体が形成されている。回転体の内部に金属材質で構成される球体の中心部を有し、且つ球体の中心部は中心軸の側辺と平行し、互いに対称な２つの収容空間が設けられており、２つの小型発電及び発光モジュールがそれぞれ嵌入されている。
【０００８】
本考案によれば、パワーボールを利用して発電の機能を確実に達成させ、且つパワーボールにフラッシュの変化が加えられて、運動及び玩具の効果を兼ね備える。さらに、大質量であり、ハンド用のチャレンジ性及びレジャー性を有するほか、腕力の訓練効果をも強化させる。
【図面の簡単な説明】
【０００９】
【図１Ａ】従来のパワーボールを示す分解斜視図である。
【図１Ｂ】従来のパワーボールを示す部分の分解斜視図である。
【図１Ｃ】従来のパワーボールを示す外観斜視図である。
【図２Ａ】パワーボールの使用方法を示す模式図である。
【図２Ｂ】パワーボールの使用方法を示す模式図である。
【図２Ｃ】パワーボールの使用方法を示す模式図である。
【図３】パワーボールの使用状態を示す参考図である。
【図４】本考案のパワーボールを示す分解斜視図である。
【図５】本考案のパワーボールを示す部分の分解斜視図である。
【図６】図５の６−６線断面図である。
【図７】図６の７−７銭断面図である。
【図８】本考案の小型発電及び発光モジュールを示す模式図である。
【図９】本考案の小型発電及び発光モジュールの動作を示す模式図である。
【図１０】本考案のパワーボールの使用状態を示す模式図である。
【図１１】本考案の回転数計算器を加えた実施形態を示す断面図である。
【図１２】本考案の回転数計算器を加えた実施形態の底面を示す斜視図である。
【考案を実施するための形態】
【００１０】
以下に図面を参照して、本考案を実施するための形態について、詳細に説明する。なお、本考案は、以下に説明する実施形態に限定されるものではない。
【００１１】
本考案の発電可能なパワーボールは、上部ケース１１及び下部ケース１２で構成されると共に高周波を利用する中空体であり、上部ケース１１の上面には円形口１１１が設けられる球形ケース１０と、下部ケース１２の上部内側の支持面１２１に設置されると共に支持面１２１上で回転を行い、その二側にはピン継手孔２１が設けられる環状体２０と、中心軸３１の二端はピン継手孔２１にそれぞれ枢接され、上部ケース１１及び下部ケース１２の内部に収容され、且つその表端面の中央箇所には凹状孔部３２１が設けられる凹状環状溝３２が設置される回転体３０と、を備える。上部ケース１１及び下部ケース１２の接合面の周縁には対応する複数の凸状円弧面１１２及び凸状円弧面１２２がそれぞれ設けられ、上部ケース１１及び下部ケース１２が結合されて球形ケース１が形成される場合、接合箇所の周縁には間隔を空けて複数の凸状円弧体１３が形成される（図４乃至図８参照）。
【００１２】
また、本考案の特徴は、回転体３０の内部には金属材質で構成される球体の中心部７０を含み、回転体３０が大質量であり、且つ球体の中心部７０が中心軸３１の側辺に平行し、互いに対称な２つの収容空間７１が設けられ、２つの小型発電及び発光モジュール５０がそれぞれ嵌入される。本実施形態では、図４Ａに示すように、小型発電及び発光モジュール５０が先ず台座７２に設置された後、２つの収容空間７１に嵌入される。台座７２は金属材質で構成され、その外形の輪郭は収容空間７１に対応され、あらゆる空間として運用可能であり、回転体３０が同じ体積である場合に全体の重量を最も好ましい状態まで増加させる。ただし、これに限定されず、収容空間７１は先ず台座７２が回転体３０の内部に内設されて一体成形され、その後に小型発電及び発光モジュール５０が設置されてもよい。
【００１３】
小型発電及び発光モジュール５０は、回転体３０の側辺内に別々に固設され、回転体３０に従って３６０°回転を行う少なくとも２つのローター部材５１と、前述のローター部材５１の位置に対応するように環状体２０に固設され、ローター部材５１が回転を行う場合、共に結合された状態を呈する少なくとも２つのステータ部材５２とを備える。
【００１４】
前述のローター部材５１はモジュール化されたケース５１１内にコイル５１２及びＴ字型のフェライト磁心５１３が設置され、且つフェライト磁心５１３の底面には第一マグネット５１４が設置され、第一マグネット５１４の底面には第一磁性金属板５１５が設置される。また、コイル５１２には１つ以上の発光ダイオード５１６が接続され、発光ダイオード５１６がケース５１１に固定されてモジュール化形態が構成される。
【００１５】
前述のステータ部材５２にはフェライト磁心５１３に対する第二マグネット５２１が設置され、且つ第二マグネット５２１の外側には第二磁性金属板５２２が設置される。また、第一マグネット５１４及び第二マグネット５２１は同じ磁極（Ｎ←→Ｎ或いはＳ←→Ｓ）で対向するように設置される。
【００１６】
本考案に係る小型発電及び発光モジュール５０は、パワーボールの内部の空間を利用して配設され、その体積及び回転にいかなる影響も与えず、且つ電池を使用する場合の欠点を回避させ、環境保護の目的を達成させる。
【００１７】
さらに、ローター部材５１及び発光ダイオード５１６はモジュール化形態を呈し、このため回転体３０の内部の空間に覆設され、迅速に装設可能になる。また、図９に示すように、ローター部材５１のフェライト磁心５１３がステータ部材５２を掠ると、瞬間的に加振励磁が発生し、コイル５１２が電流を発生させ、発光ダイオード５１６に必要な電力が供給される。また、第一マグネット５１４及び第二マグネット５２１は第一磁性金属板５１５及び第二磁性金属板５２２にそれぞれ連結され、これにより磁力線効果が増強され、瞬間的に発生する励磁が大きな磁束を有し、１つの小型発電及び発光モジュール５０が前後の発光ダイオード５１６に使用される。
【００１８】
図８に示すように、第一マグネット５１４及び第二マグネット５２１は同じ磁極で対向するように配設されるため、ローター部材５１及びステータ部材５２が互いに引き合わず、回転体３の回転に干渉するのを防ぐ。
【００１９】
なお、図７及び図１０に示すように、本考案では、上部ケース１１及び下部ケース１２の接合面に設けられる凸状円弧体１３が集光効果を有し、発光ダイオード５１６が発生させる発光は、各凸状円弧体１３を経て投射され、非常に明るく光る。また、凸状円弧体１３は指の間を定位させる部材として用いられ、把持するさいの固定性を高める。
【００２０】
このような構成により、本考案はパワーボールを利用して発電の機能を確実に達成させ、且つパワーボールにフラッシュの変化を加えることで、運動及び玩具の効果を兼ね備える。さらには、大質量であり、さらにハンド用のチャレンジ性及びレジャー性を有するほか、腕力の訓練効果も強化される。
【００２１】
本考案はさらに、上述のパワーボールの下部ケース１２の底面には貫通孔１２３が設けられ、貫通孔１２３は上部ケース１１の円形口１１１に対応され、貫通孔１２３には回転数計算器６０が嵌装される（図１１及び図１２参照）。本実施形態に係る回転数計算器６０は円形であるため、貫通孔１２３は対応するように円形孔として設置されるが、ただしこれに限定されず、回転数計算器６０は従来の部材であり、市場で購入可能であるため、他の形状でもよい。本考案は貫通孔１２３の空間で運用され、回転数計算器６０がちょうど良く嵌入され、回転体３０の凹状環状溝３２は磁石３３を有し、且つ回転数計算器６０の内側には磁石３３が回転しながら通過する経路点に対して感知素子６３が設置され、検知された回転体３０の回転信号が制御回路基板６４に送信され、外側面の液晶表示装置ＬＣＤ６１により回転体３０の回転数或いは回転速度ＲＰＭが表示される。なお、回転数計算器６０の外表面は液晶表示装置（ＬＣＤ）６１の側辺にスイッチ６２が設置され、回転数計算器６０のＯＮ／ＯＦＦ、或いは０に戻って再計算を行う等の機能が制御される（図１２参照）。
【００２２】
以上のことから、本考案は、本来のパワーボールの特徴を変えずに、回転数計算器６０が更に嵌設され、これによりチャレンジ性や友達との競争する面白さが向上する。
【００２３】
以上、本考案の実施形態について図面を参照して詳述したが、具体的な構成は、この実施形態に限られるものではなく、本考案の要旨を逸脱しない範囲の設計変更等も含む。
【符号の説明】
【００２４】
１０  球形ケース
１１  上部ケース
１２  下部ケース
１３  凸状円弧体
１１１  円形口
１１２、１２２  凸状円弧面
１２１  支持面
１２３  貫通孔
２０  環状体
２１  ピン継手孔
３０  回転体
３１  中心軸
３２  凹状環状溝
３３  磁石
３２１  凹状孔部
５０  小型発電及び発光モジュール
５１  ローター部材
５２  ステータ部材
５１１  ケース
５１２  コイル
５１３  フェライト磁心
５１４  第一マグネット
５１５  第一磁性金属板
５２１  第二マグネット
５２２  第二磁性金属板
６０  回転数計算器
６１  液晶表示装置（ＬＣＤ）
６２  スイッチ
６３  感知素子
６４  制御回路基板
７０  球体の中心部
７１  収容空間
７２  台座
【図１Ａ】
0003203624.tif 000003
【図１Ｂ】
0003203624.tif 000004
【図１Ｃ】
0003203624.tif 000005
【図２Ａ】
0003203624.tif 000006
【図２Ｂ】
0003203624.tif 000007
【図２Ｃ】
0003203624.tif 000008
【図３】
0003203624.tif 000009
【図４】
0003203624.tif 000010
【図５】
0003203624.tif 000011
【図６】
0003203624.tif 000012
【図７】
0003203624.tif 000013
【図８】
0003203624.tif 000014
【図９】
0003203624.tif 000015
【図１０】
0003203624.tif 000016
【図１１】
0003203624.tif 000017
【図１２】
0003203624.tif 000018